(57)【特許請求の範囲】
【請求項１】
電気導体の接続用の接続部と、
相手コンタクトと接触する接触部と、
ハウジングの弾性ウエブによって該ハウジングにロックされるロック面を有するロック要素と
を有するコンタクトにおいて、
前記ロック要素は、
ガイド面と、
前記ガイド面とは別体の、前記ロック面を含む固定された高さを有するカバーを有し、
該カバーは、前記ロック面を覆って閉じた表面を形成する
ことを特徴とするコンタクト。
【発明の詳細な説明】
【０００１】
【発明の属する技術分野】
本発明は、プラグハウジング用のコンタクトに関し、より詳細には、コンタクトの挿抜の際に、プラグハウジング内のシール（防水）部材への損傷を防止するカバーつきのロック要素を有するコンタクトに関する。
【０００２】
【従来の技術】
プラグハウジングは、その中に受容されるコンタクトを望まない水分から保護するシールが設けられるのが一般的である。従来のプラグハウジングは、コンタクトの挿入前にシール部材が装備されている。シール部材は、コンタクトがシール部材を通過してプラグハウジングの受容領域内に入ることができる開口を具備する。コンタクトは、プラグハウジングの製造の際に、シール部材の開口を介して案内される。公知のコンタクトは、コンタクトの挿入の際にシール部材の裂け又は広がりを防止するために、シール部材を拡大するのに使用される傾斜案内面を有する。このようなシール部材を有するプラグハウジングは独国特許出願公開第１９５３３７２３号に開示されている。従来のコンタクトは独国実用新案第２００１３５７０号に開示されている。
【０００３】
【発明が解決しようとする課題】
しかし、プラグハウジングからコンタクトを除去する必要がある場合、コンタクトはシール部材を介して引き抜かれねばならない。コンタクトは、ハウジングの受容領域にコンタクトを固定する、引き抜き方向とは逆向きに構成されたロック要素を具備するので、常にシール部材を損傷することなくプラグハウジングから引き抜かれる訳ではない。引き抜きの際にシール部材の損傷を防止するために、独国実用新案第２００１３５７０号に示されているように、コンタクトの案内板の形態に構成されたガイド要素を設けることが公知である。案内板は、ロック要素に対して横に配置され、シール部材の一面を起こさせる。しかし、ロック部材は、薄い材料で構成されているため、引き抜き方向に比較的鋭利な縁領域を有する。このため、案内板を配置したにもかかわらず、シール部材が損傷するおそれがなくプラグハウジングからコンタクトを引き抜くことは常に可能という訳ではない。
【０００４】
従って、プラグハウジングに設けられたシール部材に損傷を与えるおそれがなく、プラグハウジングから引き抜くことができるコンタクトを開発することが望ましい。
【０００５】
【課題を解決するための手段】
この目的及び他の目的は、本発明によって解決される。本発明は、導体に接続するための接続部を有するコンタクトに関する。接触部は相手コンタクトと接触するためのものである。ロック要素は、ハウジング内にコンタクトを維持するためのロック面を有するガイド面と、ロック面を覆って閉鎖面を形成するカバーとを有する。
【０００６】
【発明の実施の形態】
以下、添付図面を参照して本発明の好適実施形態を説明する。図１は、プラグハウジングの断面図である。図２は、コンタクトに接続された導体の側面図及び平面図である。図３は、第１実施形態のコンタクトの斜視図である。図４は、第１実施形態のコンタクト位置決め部材の斜視図である。図５は、第１実施形態のコンタクトばねの斜視図である。図６は、第１実施形態の変形例であるコンタクト位置決め部材の斜視図である。図７は、スペーサを有する第１実施形態の変形例であるコンタクトばねの斜視図及び側面図である。図８は、第１実施形態の変形例であるコンタクトの斜視図及び断面図である。図９は、金属板から打抜かれた第１実施形態のコンタクトばねを示す展開図である。図１０は、金属板から打抜かれた第１実施形態のコンタクト位置決め部材を示す展開図である。図１１は、第２実施形態のコンタクトの斜視図である。図１２は、第２実施形態のコンタクト位置決め部材の斜視図である。図１３は、第２実施形態のコンタクトばねの斜視図である。図１４は、第２実施形態のコンタクト配置部材を示す展開図である。図１５は、第２実施形態のコンタクトばねを示す展開図である。
【０００７】
図１は、接続位置に配置され電気コネクタ９に取り付けられたコンタクト２を有するプラグハウジング１の断面図である。ハウジング１は、リテーナ（保持部品）１６によって保持された弾性ウエブ１５に形成された保持縁６を有する。保持縁６は受容空間１４内に突出する。差し込み可能な開口１７はハウジング１の前面に形成されている。差し込み可能な開口１７の略反対側には挿入開口３がある。本実施形態では集合体シール部材として構成され、複数の導体９用に開口１８を有するシール部材４は、挿入開口３及び受容空間１４間に形成されている。
【０００８】
図１及び図２に示されるように、コンタクト２はロック面１３付きのロック要素５を有する。ロック要素５は、穿孔、切断又は打抜き加工された板から形成される。板はロック面１３に縁を有する。ロック要素５の簡単で安価な製造が、この手法で可能になる。ロック面１３は第１段２３及び第２段２４を有し、これら段により、コンタクト２の高さが千鳥状に増加する。第１段２３は、ロック要素５のロック面１３に形成されている。第１段２３は、図１に示されるようにコンタクト２を接続位置に固定するよう作用する。第２段２４は、ハウジング１の前部分の接触部分の差し込み可能な開口１７に挿入されるプラグコンタクトの接続用に位置的選択に対応する。
【０００９】
図１及び図２に示されるように、コンタクト２は導体９に接続される。本実施形態において、導体９は絶縁体を有する電線として構成される。電線は、コンタクト２の接続部２１まで案内される。絶縁体は、保持片２２によってコンタクト２に固定される。
【００１０】
図３は、コンタクト位置決め部材１１及びコンタクトばね１２から構成されるコンタクト２を示す。コンタクトばね１２は図３及び図５に最もよく示される。前端において、コンタクトばね１２は、開口フレーム３９により囲まれたコンタクト開口２５を有する。フレーム３９は、対向する２つの横部分フレーム部に内部接続面５４を有する。フレーム３９の下面は、平坦面として構成されるのが好適である。フレーム３９の上面及び下面のそれぞれに延びるのは、２重コンタクトアーム４０である。各コンタクトアーム４０は、それらの間に配置された鏡像軸に対して対称である。コンタクトアーム４０は、コンタクトピンと接触するために有利な波形構造を有する。第１表面領域２７には、板の形態の開口フレーム３９の上側に傾斜ガイド面１０が一体的に形成される。ガイド面１０は、湾曲した横面３２へ一体的に通るのが望ましい。ガイド面１０の右側横領域に縁を形成することがこの方法で回避される。横面３２は、平板を曲げ加工及び打抜き加工することで形成されることが望ましい。ガイド面１０は周辺領域２９に隣接する。
【００１１】
湾曲した横面３２の反対側に、ガイド面１０はガイド板２８を有する。ガイド板２８は、ガイド面１０の横輪郭に略適合すると共にガイド面１０と同じ高さに配置されることが望ましい第２周辺領域３０を有する。
【００１２】
コンタクト２に対して横に配置されるのが望ましいのは第１カバー１９である。第１カバー１９及びガイド板２８は一体であるのが望ましい。そして、第１カバー１９はガイド板２８への曲げによって通過する。第１カバー１９は、第１カバー１９に隣接するガイド面１０の領域の上側と略同じ高さで配置された第３周辺領域４７を有する。第１カバー１９は、ガイド面１０が第１カバー１９によって全幅にわたって覆われるように、ガイド面１０と同じ幅を有するのが望ましい。第１カバー１９は、ガイド板２８の反対側に配置されて上側隅領域３１で丸められるのが望ましい端部領域を有する。
【００１３】
第１実施形態のコンタクト２の一変形例において、横方向にガイド面１０を区切るガイド板２８に対応する第２ガイド板を、横面３２の代わりに設けることができる。しかし、この場合、第２ガイド板は第１カバー１９によっても覆われるのが望ましいので、コンタクト２がハウジング１から抜去される際に、第２ガイド板の横縁がシール部材４と接触しないことに留意すべきである。
【００１４】
第１表面領域２７と同じ高さに配置されるのが望ましい第２表面領域３３は、ロック要素５に隣接する。第２表面領域３３は、コンタクト位置決め部材１１の第１横面３４と一体であるのが望ましく、適当な曲げ加工により達成される。第２表面領域３３の先端縁領域３５は、第２カバー２０により覆われるのが望ましい。第２カバー２０には、適当な曲げ加工によりコンタクト位置決め部材１１の第２横面４８が一体に形成される。第２カバー２０は、コンタクト２の全幅にわたって横方向に延びるのが望ましい。また、縁領域３５はこの方法で覆われ、ハウジング１からの抜去の際に縁領域３５によるシール部材４に対する損傷が信頼性高く回避される。
【００１５】
図９は、打抜き金型で金属板を打ち抜かれたコンタクトばね１２のブランク（打抜き後の状態のもの）を示す概略図である。ブランクは、コンタクトアーム４０、第１表面領域２７、ガイド面１０及び横面領域３２の形状を示している。横面３２には、ガイド面１０が一体的に形成されている。図９のブランクを打ち抜いた後、コンタクトばね１２は、適当な曲げ工程により図５又は図７に従った形状になる。
【００１６】
図３及び図４は、コンタクト２のコンタクト位置決め部材を示す。図４は、曲げ部により一体構造になっている第１カバー１９及びガイド板２８を明瞭に示す。第１カバー１９は固定された高さを有するので、第１カバー１９は第２表面領域３３の表面まで延びることが望ましい。支持部材３６には、コンタクト位置決め部材１１の第１横面３４が一体的に形成されている。支持部材３６は、第１曲げ部でガイド板２８の方向に接続面３７へ且つ第２曲げ部で支持板２８へ上方に案内される。支持板３８は、ガイド面１０の輪郭と対応するように、望ましくは少なくとも部分的に構成された上側周辺領域４９を有する。ガイド面１０のための支持は、支持部材３６の配置により提供される。ガイド面１０用の支持はこのように確保されるので、ガイド面１０を弾性材料及び薄い材料の一方又は両方で製造できる。コンタクト２はシール部材４の開口１８を通して押圧されると、シール部材４はガイド面１０を押圧する。シール部材４の押圧は、支持部材３６により吸収され、ガイド面１０を安定化させる。
【００１７】
コンタクト位置決め部材１１は、コンタクトばね１２を受容するために、略矩形形状の受容ハウジング５０を有する。下側横面５１は、第１及び第２横面３４，４３に関して受容ハウジング５０の前側から所定長さだけ突出する。前側領域において、受容ハウジング５０は、下側横面５１の反対側が開放する。
【００１８】
第１及び第２横面３４，４３は、受容ハウジング５０の開放領域に支持縁５２を有する。支持縁５２は、コンタクトばね１２の第１表面領域２７用の当接面を形成する。下側横面５１は、前側領域にコンタクトばね１２のフレーム３９の下面用の当接面を形成する。下側横面５１は、少なくとも前側領域に平坦面として形成され、フレーム３９の下面が下側横面５１上に支持されることを保証する。第１及び第２横面３４，４３は、前側端部領域に接続面５３を有する。接続面５３は、下側横面５１の方向性に対して略直交して構成される。接続面５３は、開口フレーム３９の内部接続面５４用の接続面として作用する。
【００１９】
コンタクト位置決め部材１１及びコンタクトばね１２は、互いに強固に接続されるのが望ましい。コンタクトアーム４０は、コンタクト開口２５を介してコンタクト位置決め部材１１の接触部２６に挿入される。コンタクトばね１２は、図４に最もよく示されるように、第１表面領域２７及び第１又は第２横面３４，４３間に設けられた溶接点５５を介してコンタクト位置決め部材１１に接続されている。内部接続面５４は、受容ハウジング５０の第１及び第２横面３４，４３の接続面５３と共にコンタクトばね１２の正確な接続用に作用する。従って、コンタクト位置決め部材１１内にコンタクトばね１２を精密に配置することが可能である。
【００２０】
図１０は、金属板を打抜き加工した図４のコンタクト位置決め部材１１のブランクを示す。次に、コンタクト位置決め部材１１が適当な曲げ加工により形成される。第１カバー１９及び第２カバー２０と横面３４との一体構造は、図１０のブランクで明瞭に見られる。第１及び第２カバー１９，２０の上縁は丸められるのが望ましいので、コンタクト２の抜去の際にシール部材に対する損傷のおそれが更に小さくなる。支持部材３６の構造も見ることができる。図６による第２ホルダ４１の構造において、打抜き金型は元の方法で構成される。
【００２１】
図４の第１実施形態のコンタクト位置決め部材１１の変形例において、コンタクト位置決め部材１１はまた、図６に示されるものに形成することができる。図６のコンタクト位置決め部材１１は第２支持部４１を有する。第２支持部４１は、横面３４から第１接続面３７へ第１曲げ部を介して通過する。第２支持板４２は、第１接続面３７の横断面に形成され、第２曲げ部を介して第１接続面３７に接続されている。第２支持板４２は、第１カバー１９から所定距離離れて配置され、ガイド面１０と同じ輪郭を有するのが望ましい。第２支持板４２の実施形態により、支持部材３６が支持板３８と共に構成されると、接触面１０はより大きな領域にわたって支持される。従って、改良されたガイド面１０のばね取付けが保証される。第１接続面３７は、反対の第２横面４３に案内されるのが望ましい。第１接続面３７は、第２横面４３の上側周辺領域に停止する。この結果、第１接続面３７の位置は精確に固定される。
【００２２】
図７ａは、第１実施形態のコンタクトばね１２の好適な変形例の斜視図であり、コンタクトばね１２は第１表面領域２７に凹部４４を有する。凹部４４は、上側コンタクトアーム４０のための空間要素として作用し、図７ｂに最もよく示される。凹部４４の配置により、上側コンタクトアーム４０の伸び過ぎが回避される。
【００２３】
図８ａは、図７ａの実施形態によるコンタクトばね１２を有するコンタクト２の斜視図である。本実施形態において、第１及び第２カバー１９，２０と第２横面４３との一体構造も見ることができる。図８ｂは、図８ａのコンタクトの断面図である。ここで、コンタクト位置決め部材１１は、下側４５に下側コンタクトアーム４０の伸び過ぎを防止するノッチ４６を具備するのが望ましい。図示されているように、第１カバー１９の上縁は、ガイド面１０の上縁と同じ高さに配置されることが望ましい。このようにして、ガイド面１０の先端周辺領域は、第１カバー１９によって信頼性高く覆われる。第２カバー２０の上縁が第２表面領域３３の表面と同じ高さに配置されるのが望ましいことが図８ｂから明瞭に見ることができる。第２表面領域３３の先端周辺領域は、このようにして第２カバー２０によって信頼性高く覆われる。
【００２４】
プラグハウジング１内へのコンタクト２の挿入を図１及び図２を参照してより詳細に説明する。プラグの製造の際、シール部材４は、ハウジング１の対応するシール空間に挿入される。リテーナ１６がハウジング１の前面に配置される前に、電気導体９が既に取り付けられたコンタクト２は、挿入開口３及び開口１８を通って受容空間１４内にその後押圧される。コンタクト２の挿入の際にシール部材４の損傷を避けるために、ロック要素５の傾斜したガイド面１０が開口１８を広げてコンタクト２を受容する。
【００２５】
コンタクト２が受容空間１４内の接続位置に到達すると、ガイド面１０が保持縁６を越えて移動するまで、保持縁６はガイド面１０により外側に押圧される。その後、保持縁６は、図１に示される停止位置に戻る。リテーナ１６は、保持縁６がその停止位置に保持されるように、ハウジング１上に配置される。リテーナ１６は、保持縁６が形成され保持縁６を図１に示されるロック位置に保持するウエブ１５上に停止する。ロック位置において、ロック要素５は、保持縁６により挿入開口３の方向への移動からロック面１３上に制限される。
【００２６】
電気導体９を交換する等のハウジングからコンタクト２を抜去するために、リテーナ１６はハウジング１から除去される。コンタクト２は、電気導体９を介して挿入開口３の方向に沿ってハウジング１から抜去される。コンタクト２が抜去されると、ウエブ１５の弾性構造により保持縁６を損傷することなく、保持縁６がロック要素５によって外側に曲げられる。
【００２７】
コンタクト２は、挿入開口３の方向に沿って開口１８を通って抜去される。コンタクト２がシール部材４の開口１８を通って抜去されると、第１及び第２段２３，２４が開口１８に接触する。抜去の際、シール部材４は、最初に第２カバー２０上に停止し、第２カバー２０により上方へ押圧され、次に第２表面領域３３上を摺動する。第１カバー１９がシール部材４に到達すると、シール部材４は、第１カバー１９により更に上方へ持ち上げられると共に、ガイド面１０の周辺領域を介してガイド面１０の表面に持ち上げられる。こうして、コンタクト２は最小限の損傷でシール部材４の開口１８を貫通して移動することができる。従って、第１及び第２カバー１９，２０の一方又は両方の配置により、開口１８の領域におけるシール部材４の損傷は回避される。
【００２８】
第１及び第２カバー１９，２０は、ロック要素５のロック面１３の全幅にわたって形成されるのが望ましい。従って、公知技術と対照的に、コンタクト２がハウジング１から抜去されると、シール部材４はロック要素５の全幅にわたって上がる。この結果、シール部材４は、ロック要素５の周辺領域によって、ロック要素５の全周辺領域で損傷から保護される。
【００２９】
第１及び第２カバー１９，２０の簡単な構造により、横壁領域から続くカバー１９，２０が曲げ部を介してロック要素５のロック側面に沿って整列することが達成される。また、カバー１９，２０の簡単で安価な製造は、この方法で可能になる。
【００３０】
図１１ないし図１５は、コンタクト位置決め部材１１及びコンタクトばね１２を具備する第２実施形態のコンタクト２を示す。図１ないし図１０の第１実施形態と対照的に、第２実施形態のガイド面１０は、コンタクトばねの一部として一体的に形成されていないが、コンタクト位置決め部材１１の一部として一体的に形成される。
【００３１】
図１２は、ガイド面１０を有する第２実施形態のコンタクト位置決め部材１１を示す。ガイド面１０には、第１横面３４が一体的に形成される。第１横面３４には、横断ウエブ５６が一体的に形成される。横断ウエブ５６は、第１横面３４から受容空間を介して反対側の第２横面４８まで横方向に案内され、第２横面４８上に停止する。横断ウエブ５６近傍には、ガイド面１０が第１カバー１９の方向のコンタクト位置決め部材１１の縦方向に沿って延び、第２横面４８に一体的に接続される。
【００３２】
第２横面４８はガイド板２８を有する。ガイド板２８の上縁は、ガイド板１０の膨出形に対応して形成される。また、第１カバー１９の上縁は、第１カバー１９に関連するガイド面１０の端部領域の上縁と同じ高さに配置されるのが望ましい。下側横面５１は、第１及び第２横面３４，４８を超えて突出する。第１及び第２横面３４，４８は、支持縁５２と前部に配置された接続面５３とを有する。
【００３３】
図１３は、図５に示されるコンタクトばね１２と略同じ形態を有する第２実施形態のコンタクトばね１２を示す。コンタクトばね１２は、短縮された第１表面領域２７を有し、ガイド面１０を有していない。フレーム３９は、対向する２個の横フレーム部に位置する内部接続面５４を有する。第１表面領域２７は、コンタクト位置決め部材１１の方向に沿ってテーパ状になっている。
【００３４】
組立状態において、第１表面領域２７は、第１及び第２横面３４，４３の当接縁５２の間を横方向に挿入される。フレーム３９は、下側横面５１に下面で停止する。内部接続面５４は、受容ハウジング５０の接続面５３上に停止する。従って、簡素化された溶接点が可能になる。コンタクトばね及びコンタクト位置決め部材は溶接点５５を介して互いに溶接され、溶接点はフレーム３９の領域に配置される。加えて、コンタクト位置決め部材１１の受容ハウジング５０も、溶接点５５を介してその形状を保たれる。ここで、溶接点５５は、第２表面領域３３及び第２横面４８間に設けられる。溶接接合部は、レーザ溶接によって形成されるのが望ましい。
【００３５】
図１４は、第２コンタクト位置決め部材１１が金属板から切断、穿孔又は打抜き加工された、図１２の第２実施形態のコンタクト位置決め部材１１のブランクを示す。図１５は、コンタクトばね１２が金属板から切断、穿孔又は打抜き加工された、図１３の第２コンタクトばね１２のブランクを示す。これらコンタクト位置決め部材１１及びコンタクトばね１２は、適当な曲げ加工等によってブランクから製造される。
【００３６】
【発明の効果】
本発明の第１及び第２実施形態によるコンタクトの利点は、カバーが抜去方向に沿ってロック要素を関連し、ロック側に配置されたロック要素の縁領域がシール部材との接触を防止する点である。従って、可能な限り接近した表面を有するロック要素が得られる。ロック要素の表面は完全に密接していることが望ましい。これにより、コンタクトがハウジングが押し出されると、シール部材がカバーによって起こされ、ロック要素の縁領域によるシール部材の引き続く損傷が信頼性高く回避される。
【図面の簡単な説明】
【図１】プラグハウジングの断面図である。
【図２】コンタクトに接続された導体の側面図及び平面図である。
【図３】第１実施形態のコンタクトの斜視図である。
【図４】第１実施形態のコンタクト位置決め部材の斜視図である。
【図５】第１実施形態のコンタクトばねの斜視図である。
【図６】第１実施形態の変形例であるコンタクト位置決め部材の斜視図である。
【図７】スペーサを有する第１実施形態の変形例であるコンタクトばねの斜視図及び側面図である。
【図８】第１実施形態の変形例であるコンタクトの斜視図及び断面図である。
【図９】金属板から打抜かれた第１実施形態のコンタクトばねを示す展開図である。
【図１０】金属板から打抜かれた第１実施形態のコンタクト位置決め部材を示す展開図である。
【図１１】第２実施形態のコンタクトの斜視図である。
【図１２】第２実施形態のコンタクト位置決め部材の斜視図である。
【図１３】第２実施形態のコンタクトばねの斜視図である。
【図１４】第２実施形態のコンタクト配置部材を示す展開図である。
【図１５】第２実施形態のコンタクトばねを示す展開図である。
【符号の説明】
１          ハウジング
２          コンタクト
５          ロック要素
１０        ガイド面
１１        コンタクト位置決め部材
１２        コンタクトばね
１３        ロック面
１９        第１カバー
２０        第２カバー
２１        接続部
２６        接触部
２８        ガイド板
３３        金属板
３６，４１  支持部材
３９        フレーム
４０        コンタクトアーム
４４        停止要素
【図１】
0004127493.tif 000002
【図２】
0004127493.tif 000003
【図３】
0004127493.tif 000004
【図４】
0004127493.tif 000005
【図５】
0004127493.tif 000006
【図６】
0004127493.tif 000007
【図７】
0004127493.tif 000008
【図８】
0004127493.tif 000009
【図９】
0004127493.tif 000010
【図１０】
0004127493.tif 000011
【図１１】
0004127493.tif 000012
【図１２】
0004127493.tif 000013
【図１３】
0004127493.tif 000014
【図１４】
0004127493.tif 000015
【図１５】
0004127493.tif 000016